(57)【要約】【課題】タッチパネルディスプレイを備えたデジタルフォトフレーム等の画像表示制御装置であって、前記画面傾斜角度を調節する利用者の手間を省くことができる画像表示制御装置を提供する。【解決手段】画面傾斜角度制御手段１０４は、表示状態角度θ1であった画面傾斜角度θgがその表示状態角度θ1から変更されたと画面傾斜角度検出手段９４によって判断された場合において復帰条件判断手段１０２が所定の復帰条件が成立したと判断した場合には、画面傾斜角度θgを前記表示状態角度θ1に戻す画面傾斜角度復帰制御を実行する。従って、利用者が上記画面傾斜角度θgを上記表示状態角度θ1に戻す必要がなく、その画面傾斜角度θgを調節する利用者の手間を省くことが可能である。【選択図】図８
2011159092.tif 000002
【特許請求の範囲】
【請求項１】
画像を表示するとともに利用者が操作する入力操作子が画像表示面へ接触したことを検出するタッチパネルディスプレイと、前記画像表示面の画面傾斜角度を変更する画面傾斜角度変更手段と、前記画面傾斜角度を検出する画面傾斜角度検出手段とを備えた画像表示制御装置であって、
予め記憶された画像を前記タッチパネルディスプレイに表示するための予め設定された表示状態角度から前記画面傾斜角度が変更されたと前記画面傾斜角度検出手段により判断された場合において所定の復帰条件が成立した場合には、前記画面傾斜角度変更手段を作動させて前記画面傾斜角度を前記表示状態角度に戻す画面傾斜角度制御手段
を、含むことを特徴とする画像表示制御装置。
【請求項２】
電気通信回線を通じて送信データを送信するデータ送信手段を備えており、
前記復帰条件が成立した場合とは、前記データ送信手段による前記送信データの送信が完了した場合である
ことを特徴とする請求項１に記載の画像表示制御装置。
【請求項３】
人の存在を検知する人感センサが設けられており、
前記画面傾斜角度制御手段は、該人感センサにより人が検知されていることを条件に、前記画面傾斜角度を前記表示状態角度に戻す
ことを特徴とする請求項１又は２に記載の画像表示制御装置。
【請求項４】
前記画面傾斜角度が前記表示状態角度である場合において、予め記憶された複数の画像を前記タッチパネルディスプレイに順次表示するスライドショー表示制御を実行するスライドショー表示制御手段を備えており、
該スライドショー表示制御手段は、前記スライドショー表示制御の停止中に前記画面傾斜角度制御手段が前記画面傾斜角度を前記表示状態角度に戻した場合には、前記スライドショー表示制御の実行を開始する
ことを特徴とする請求項１乃至３の何れか１項に記載の画像表示制御装置。
【請求項５】
画像を表示するとともに利用者が操作する入力操作子が画像表示面へ接触したことを検出するタッチパネルディスプレイを備えた画像表示制御装置において実行され、前記画像表示面の画面傾斜角度を変更する画面傾斜角度変更工程と、前記画面傾斜角度を検出する画面傾斜角度検出工程とを備えた画像表示制御装置の画面傾斜角度制御方法であって、
予め記憶された画像を前記タッチパネルディスプレイに表示するための予め設定された表示状態角度から前記画面傾斜角度が変更されたと前記画面傾斜角度検出工程で判断された場合において所定の復帰条件が成立した場合には、前記画面傾斜角度変更工程を実行して前記画面傾斜角度を前記表示状態角度に戻す画面傾斜角度制御工程
を、含むことを特徴とする画面傾斜角度制御方法。
【発明の詳細な説明】
【技術分野】
【０００１】
本発明は、デジタル画像を表示する電子式の写真立てであるデジタルフォトフレーム等の画像表示制御装置において、その画像表示画面の傾斜角度の制御に関する。
【背景技術】
【０００２】
近年のデジタルカメラの普及に伴い、フォトフレーム（写真立て）も電子式のものが普及し始めている。その電子式のフォトフレームすなわちデジタルフォトフレームは、例えば、液晶表示装置等の表示装置と、その表示装置の画像表示面を所定の角度に設定可能な構造と、上記表示装置等を制御する制御装置とを備えたもの等がある。そして、そのデジタルフォトフレームの制御装置は、フラッシュメモリ等に予めデジタル画像データとして記憶されたデジタル画像を上記表示装置に表示する。例えば、そのデジタルフォトフレームの制御装置は、予め記憶された複数のデジタル画像を上記表示装置に所定の時間間隔で順次表示するスライドショー表示制御を実行する。
【０００３】
また、デジタルフォトフレームの一態様として、単に画像を表示する表示装置ではなく、画像を表示するとともにスタイラスペンの接触等による入力操作が可能なタッチパネルディスプレイを備えたデジタルフォトフレームが知られている。そのようなタッチパネルディスプレイを備えたデジタルフォトフレームの制御装置は、タッチパネルディスプレイに対する入力操作により種々の処理を選択乃至実行することができる。
【０００４】
上述したデジタルフォトフレームのようなタッチパネルディスプレイを備えた画像表示制御装置は種々提案されており、例えば、特許文献１に記載された車載用機器がそれである。その車載用機器は、タッチパネルディスプレイと、車両に取り付けられる筐体に対して上記タッチパネルディスプレイの位置・姿勢を移動させる移動装置とを備えている。そして、上記車載用機器は、上記タッチパネルディスプレイが所定の位置・姿勢から変化した場合には、上記移動装置を駆動することにより、そのタッチパネルディスプレイを上記所定の位置・姿勢に戻す。すなわち、上記タッチパネルディスプレイが所定の位置・姿勢から変化すれば直ちに元に戻し、そのタッチパネルディスプレイを所定の位置・姿勢に常に保とうとする。
【先行技術文献】
【特許文献】
【０００５】
【特許文献１】特開２００５−８８６４４号公報
【発明の概要】
【発明が解決しようとする課題】
【０００６】
上述したタッチパネルディスプレイを備えたデジタルフォトフレーム等の画像表示制御装置において、その使用態様として複数の態様が想定される。例えば、タッチパネルディスプレイに表示される画像を観賞する態様とタッチパネルディスプレイに対し入力操作を行う態様とが想定される。そして、上記画像を観賞する態様での画像表示面の画面傾斜角度は、画像表示面を見易くするため、画像表示面が水平横向きから少し上向く程度に傾いた角度が適切であり、その一方で、上記入力操作を行う態様での上記画面傾斜角度は、操作性向上のため、画像表示面が水平乃至は水平から少し傾いた略上向きの角度が適切であると考えられる。すなわち、上記画面傾斜角度は、上記画像を観賞する態様と上記入力操作を行う態様とでそれぞれ異なっていた方がよい。そうすると、例えば、利用者が上記タッチパネルディスプレイに対する入力操作を行うために前記画面傾斜角度をその入力操作に適した角度に変更し、その入力操作の完了後に、前記スライドショー表示制御等による画像表示を再開する際には、利用者は、そのスライドショー表示制御等による画像を楽しむために、画面傾斜角度を画像の観賞に適した角度に戻す必要があった。すなわち、利用者は、上記タッチパネルディスプレイに対する入力操作を行う度に上記画面傾斜角度を調節する必要があり面倒であった。
【０００７】
また、画面傾斜角度が画像の観賞に適した角度から変更された場合において、その画面傾斜角度を元に戻すことを、例えば、前記特許文献１の車載用機器がタッチパネルディスプレイを前記所定の位置・姿勢に戻すことと同様にして自動的に実現しようとしても、これを適切に実現することができなかった。なぜなら、前記特許文献１の車載用機器はタッチパネルディスプレイを所定の位置・姿勢すなわち１つの位置・姿勢に常に保とうとする一方で、前記デジタルフォトフレームでは、画面傾斜角度を複数の使用態様の各々に適した角度に切り替えることが必要とされるからである。
【０００８】
本発明は、以上の事情を背景として為されたものであり、その目的とするところは、タッチパネルディスプレイを備えたデジタルフォトフレーム等の画像表示制御装置であって、前記画面傾斜角度を調節する利用者の手間を省くことができる画像表示制御装置を提供することにある。
【課題を解決するための手段】
【０００９】
かかる目的を達成するため、請求項１に係る発明の要旨とするところは、（ａ）画像を表示するとともに利用者が操作する入力操作子が画像表示面へ接触したことを検出するタッチパネルディスプレイと、前記画像表示面の画面傾斜角度を変更する画面傾斜角度変更手段と、前記画面傾斜角度を検出する画面傾斜角度検出手段とを備えた画像表示制御装置であって、（ｂ）予め記憶された画像を前記タッチパネルディスプレイに表示するための予め設定された表示状態角度から前記画面傾斜角度が変更されたと前記画面傾斜角度検出手段により判断された場合において所定の復帰条件が成立した場合には、前記画面傾斜角度変更手段を作動させて前記画面傾斜角度を前記表示状態角度に戻す画面傾斜角度制御手段を、含むことにある。
【００１０】
また、請求項５に係る発明の要旨とするところは、（ａ）画像を表示するとともに利用者が操作する入力操作子が画像表示面へ接触したことを検出するタッチパネルディスプレイを備えた画像表示制御装置において実行され、前記画像表示面の画面傾斜角度を変更する画面傾斜角度変更工程と、前記画面傾斜角度を検出する画面傾斜角度検出工程とを備えた画像表示制御装置の画面傾斜角度制御方法であって、（ｂ）予め記憶された画像を前記タッチパネルディスプレイに表示するための予め設定された表示状態角度から前記画面傾斜角度が変更されたと前記画面傾斜角度検出工程で判断された場合において所定の復帰条件が成立した場合には、前記画面傾斜角度変更工程を実行して前記画面傾斜角度を前記表示状態角度に戻す画面傾斜角度制御工程を、含むことにある。
【発明の効果】
【００１１】
請求項１に係る発明の画像表示制御装置によれば、前記画面傾斜角度制御手段は、予め記憶された画像を前記タッチパネルディスプレイに表示するための予め設定された表示状態角度から前記画面傾斜角度が変更されたと前記画面傾斜角度検出手段により判断された場合において所定の復帰条件が成立した場合には、前記画面傾斜角度変更手段を作動させて前記画面傾斜角度を前記表示状態角度に戻す。そのため、利用者が上記画面傾斜角度を上記表示状態角度に戻す必要がなく、その画面傾斜角度を調節する利用者の手間を省くことが可能である。
【００１２】
ここで、好適には、（ａ）電気通信回線を通じて送信データを送信するデータ送信手段を備えており、（ｂ）前記復帰条件が成立した場合とは、前記データ送信手段による前記送信データの送信が完了した場合である。すなわち、前記画面傾斜角度制御手段は、前記データ送信手段による前記送信データの送信が完了した場合に、前記画面傾斜角度変更手段を作動させて前記画面傾斜角度を前記表示状態角度に戻す。このようにすれば、上記送信データの送信完了後において、利用者が上記画面傾斜角度を上記表示状態角度に戻す手間を省くことが可能である。
【００１３】
また、好適には、（ａ）人の存在を検知する人感センサが設けられており、（ｂ）前記画面傾斜角度制御手段は、その人感センサにより人が検知されていることを条件に、前記画面傾斜角度を前記表示状態角度に戻す。このようにすれば、上記画面傾斜角度を上記表示状態角度に戻す動作が必要ではなく無駄になる場合において、この動作を省くことができる。
【００１４】
また、好適には、（ａ）前記画面傾斜角度が前記表示状態角度である場合において、予め記憶された複数の画像を前記タッチパネルディスプレイに順次表示するスライドショー表示制御を実行するスライドショー表示制御手段を備えており、（ｂ）そのスライドショー表示制御手段は、前記スライドショー表示制御の停止中に前記画面傾斜角度制御手段が前記画面傾斜角度を前記表示状態角度に戻した場合には、前記スライドショー表示制御の実行を開始する。このようにすれば、例えば利用者が前記タッチパネルディスプレイに対して入力操作を行うために前記スライドショー表示制御を中断させた場合などにおいて、利用者が上記スライドショー表示制御の実行を再開する手間を省くことが可能である。
【００１５】
また、請求項５に係る発明の画像表示制御装置の画面傾斜角度制御方法によれば、予め記憶された画像を前記タッチパネルディスプレイに表示するための予め設定された表示状態角度から前記画面傾斜角度が変更された場合において所定の復帰条件が成立した場合には、前記画面傾斜角度変更工程を実行して前記画面傾斜角度を前記表示状態角度に戻すので、前記請求項１に係る発明の画像表示制御装置と同様に、利用者が上記画面傾斜角度を上記表示状態角度に戻す必要がなく、その画面傾斜角度を調節する利用者の手間を省くことが可能である。
【図面の簡単な説明】
【００１６】
【図１】本発明が好適に適用されるタッチパネルディスプレイを備えたデジタルフォトフレームである画像表示制御装置の外観を表す斜視図である。
【図２】図１においてII方向に見た画像表示制御装置の側面図である。
【図３】図１においてIII−III方向に見た画像表示制御装置の断面図である。
【図４】図１の画像表示制御装置が有する画面傾斜角度変更装置と画面傾斜角度検出装置とを表した側面図であって、図１のII方向と同方向に見た図である。
【図５】図４においてＶ方向に見た斜視図である。
【図６】図４において、画像表示面の画面傾斜角度が零に変化させられた場合を示す図である。
【図７】図１の画像表示制御装置の電気的な構成を説明するためのブロック図である。
【図８】図１の画像表示制御装置に備えられた制御機能の要部を説明する機能ブロック線図である。
【図９】図８の画面傾斜角度登録手段の作動、すなわち、画面傾斜角度の原点、表示状態角度、及び、入力操作用角度を設定登録する作動を説明するためのフローチャートである。
【図１０】図１の画像表示制御装置において、画面傾斜角度が零にされた状態を示す斜視図である。
【図１１】図１の画像表示制御装置において、入力操作用角度の設定登録を行うために画面傾斜角度が１０度程度にされた状態を示す側面図である。
【図１２】図１の画像表示制御装置の制御作動の要部、すなわち、スライドショー表示制御が一時的に停止されてファックス等のデータ送信が行われる制御作動を説明するためのフローチャートである。
【図１３】図１２のＳＢ３で実行されるスライドショー表示制御によって表示される画像の一例を表した図である。
【図１４】図１２のＳＢ１でなされるタッチパネルディスプレイへの接触操作を説明するための画像表示面を表した第１の図である。
【図１５】図１２のＳＢ１でなされるタッチパネルディスプレイへの接触操作を説明するための画像表示面を表した第２の図である。
【図１６】図１２のＳＢ５でなされるタッチパネルディスプレイへの接触操作を説明するための画像表示面を表した第１の図である。
【図１７】図１２のＳＢ５でなされるタッチパネルディスプレイへの接触操作を説明するための画像表示面を表した第２の図である。
【図１８】図１２のＳＢ５でなされるタッチパネルディスプレイへの接触操作を説明するための画像表示面を表した第３の図である。
【図１９】図１２のＳＢ６において入力情報の入力が終了したと判断される場合を説明するための画像表示面を表した図である。
【図２０】図１２のＳＢ７でなされるタッチパネルディスプレイへの接触操作を説明するための画像表示面を表した図である。
【図２１】図１２のＳＢ７において送信先を入力する等のファックス送信手続を行いそのファックス送信を実行させるための画像を示した図であって、ＳＢ９においてデータ送信を実行させるための操作がなされたと判断される場合を説明するための画像表示面を表した図である。
【図２２】図１２のＳＢ１０においてデータ送信の実行中に表示される画像を表した図である。
【発明を実施するための形態】
【００１７】
以下、本発明の好適な実施例を図面を参照して詳細に説明する。
【実施例】
【００１８】
図１は、本発明が好適に適用されるタッチパネルディスプレイを備えた画像表示制御装置１０の外観を表す斜視図である。図２は、図１においてII方向に見た画像表示制御装置１０の側面図である。図３は、図１においてIII−III方向に見た画像表示制御装置１０の断面図である。画像表示制御装置１０は、机上等の水平な載置面８に載置してタッチパネルディスプレイ１２に画像等を表示させタッチパネル操作により入出力操作を行ことができる画像表示機器であり、例えば、デジタル画像を表示する電子式の写真立てであるデジタルフォトフレームである。画像表示制御装置１０は、タッチパネルディスプレイ１２を備えた本体部２０と、そのタッチパネルディスプレイ１２すなわちその本体部２０を机上等に載置した場合に支持する本体支持部２２とを備えている。
【００１９】
本体部２０は、上記タッチパネルディスプレイ１２と、ＡＢＳ樹脂やアルミ合金などの材質であって本体部２０の外形を成し且つタッチパネルディスプレイ１２に表示される画像等の表示面１８（以下、「画像表示面１８」という）を露出するように開口した本体部筐体２４とを備えている。
【００２０】
タッチパネルディスプレイ１２は、利用者に対する入出力装置として一般的に知られているタッチパネルディスプレイ装置であり、画像や文字等を表示する表示装置１４と、画像表示制御装置１０の利用者が操作する入力操作子としての利用者の指２８（図１４参照）が画像表示面１８に接触したこと及び接触していることを検出する表示面接触検出装置（タッチパネル）１６とを備えている。そして、タッチパネルディスプレイ１２は、画像表示面１８側から表示面接触検出装置１６と表示装置１４とが層状に相互に一体となって構成されている。タッチパネルディスプレイ１２は、抵抗膜方式、静電容量方式、超音波表面弾性波方式、赤外線遮光方式などの何れの方式で指２８の画像表示面１８への接触が検出されてもよいが、本実施例では抵抗膜方式が採用されている。
【００２１】
表示装置１４は、例えば液晶表示装置や有機ＥＬディスプレイなどであり、入力信号に従って画像や文字等を画像表示面１８に向けて表示する。
【００２２】
表示面接触検出装置１６は、透明な薄いシート状の例えば感圧センサ（タッチパネル）であり、表示装置１４の画像等を表示させる側の面の略全体に一体的に貼り付けられている。そして、表示面接触検出装置１６は、指（入力操作子）２８が画像表示面１８に接触すると、その指２８の接触を検出し、その接触を検出した画像表示面１８上の位置を示すペン接触検出位置信号を出力する。
【００２３】
図１及び図２に示すように、本体支持部２２は、タッチパネルディスプレイ１２のスタンドとして機能し、例えば平板状またはロの字状の矩形台座であり、その一端側が、連結軸３２によって本体部２０の基端部と連結されており、本体部２０と本体支持部２２とは互いに連結軸３２まわりに回動可能となっている。そして、画像表示制御装置１０が載置面８上（机上等）に載置された状態では、本体支持部２２と連結軸３２とは載置面８に対して平行になり、本体支持部２２が下面側に備える脚３４が載置面８に接触する。
【００２４】
図４は、画像表示制御装置１０が有する画面傾斜角度変更装置３８と画面傾斜角度検出装置４０とを表した側面図であって、図１のII方向と同方向に見た図である。図５は、図４においてＶ方向に見た斜視図である。画面傾斜角度変更装置３８および画面傾斜角度検出装置４０は、本体部筐体２４内に内蔵された状態で画像表示制御装置１０に備えられているので、図４および図５では、図を見やすくするために本体部筐体２４を省略して図示している。
【００２５】
図４及び図５に示すように、画面傾斜角度変更装置３８は、本体部２０を本体支持部２２に対して連結軸３２まわりに回動させることにより、画像表示面１８が載置面８に対してなす画面傾斜角度θg（図２参照）を変更する装置である。また、画面傾斜角度変更装置３８は、画面傾斜角度θgを変更しないときにはその画面傾斜角度θgを現状維持して固定する装置である。画面傾斜角度変更装置３８は、電動モータ４２と、その電動モータ４２の出力軸に固定されたモータギヤ４４と、そのモータギヤ４４と相互に噛み合うアイドルギヤ４６と、そのアイドルギヤ４６と相互に噛み合うスタンドギヤ４８とを備えている。そのモータギヤ４４及びアイドルギヤ４６は何れも連結軸３２と平行な軸まわりに回転するギヤである。電動モータ４２は、本体部筐体２４と一体に固定された本体フレーム５０に固定されており、アイドルギヤ４６は本体フレーム５０に回転可能に支持されている。その一方で、スタンドギヤ４８は連結軸３２と同軸であって本体支持部２２と一体に固定されており、本体支持部２２の下面側には歯を備えない円弧状のギヤである。このような構成から、画面傾斜角度変更装置３８は、電動モータ４２を回転駆動させると、本体フレーム５０を本体支持部２２に対して連結軸３２まわりに回動させるように作用し、前記画面傾斜角度θgを変更する。なお、電動モータ４２は、それが駆動されないときは出力軸（モータギヤ４４）を回転不可として画面傾斜角度θgを現状維持するが、画面傾斜角度θgを変化させる外力が電動モータ４２の出力軸に加わり、その外力が予め定められた角度変更外力判定値を超えている場合には、画面傾斜角度θgがその外力に従って変化させられるのを許容する。すなわち、電動モータ４２は、画面傾斜角度θgがその外力に従って変化させられるときには上記角度変更外力判定値に相当する反力トルクを発生する。上記角度変更外力判定値は、利用者が本体部２０を持って画面傾斜角度θgを変化させることができるように実験的に設定されている。
【００２６】
画面傾斜角度検出装置４０は前記画面傾斜角度θgを検出する装置である。画面傾斜角度検出装置４０は、連結軸３２と同軸であり本体支持部２２と一体に固定されたエンコーダ（エンコーダ円板）５２と、本体フレーム５０に固定されエンコーダ５２との相対位置関係を示す信号を出力する角度センサ５４とを備えている。本実施例の角度センサ５４は、エンコーダ５２に対して所定角度回動する毎にパルスを出力するもの（インクリメンタル形）であるが、エンコーダ５２に対する絶対的な位置（角度）関係を出力するもの（アブソリュート形）であってもよい。このような構成から、本体フレーム５０の本体支持部２２に対する回動角度、すなわち前記画面傾斜角度θgを検出する。なお、図４および図５は上記画面傾斜角度θgがある程度大きい場合を示す図であるが、その画面傾斜角度θgが零であるときは図４は図６のように変化する。なお、上記画面傾斜角度θgには、例えば零度を下限とする調節範囲が予め定められており、画面傾斜角度θgの調節範囲の下限および上限のそれぞれの位置には機械的なデッドエンド（ストッパー）が本体部２０または本体支持部２２に設けられている。
【００２７】
また、画像表示制御装置１０は、画像表示制御装置１０の近傍である検知範囲における人の存在を検知するために人感センサ５６（図１０参照）を備えている。人感センサ５６は一般的に知られた人感センサであり、例えば赤外線や超音波等により上記検知範囲内における人の存在を検知する。この人感センサ５６は本体部２０に設けられても差し支えないが、本実施例では本体支持部２２に設けられている。
【００２８】
図７は、画像表示制御装置１０の電気的な構成を説明するためのブロック図である。図７に示すように、画像表示制御装置１０は、前述したタッチパネルディスプレイ１２と画面傾斜角度変更装置３８と画面傾斜角度検出装置４０と人感センサ５６とに加えて、画像表示制御装置１０による画像表示制御をはじめとする各種制御を実行する制御部６０と、複数の画像情報（画像ファイル）を記憶するフラッシュメモリ等の記憶部６２と、画像表示制御装置１０を電気通信回線６４に接続するための通信インターフェイス６６と、ＣＤ−ＲＯＭや磁気ディスクなどの記録媒体からデータやプログラム等を読み込み或いはその記録媒体にデータやプログラム等を書き込む読出書込装置６８と、これらの構成要素の相互間でデータ授受を仲介するバス７０とを、備えて構成されている。
【００２９】
また、図７に示す制御部６０は、中央演算処理装置であるＣＰＵ７２と、読出専用メモリであるＲＯＭ７４と、随時書込読出メモリであるＲＡＭ７６とを、備えて構成されている。すなわち、前記制御部６０は、上記ＲＡＭ７６の一時記憶機能を利用しつつ上記ＲＯＭ７４に記憶された情報に基づいて上記ＣＰＵ７２により種々の情報処理を実行する所謂マイクロコンピュータであり、前記タッチパネルディスプレイ１２（表示装置１４）に所定の画像を表示させる画像表示制御、そのタッチパネルディスプレイ１２（表示面接触検出装置１６）への接触操作に応じて入力される入力信号を処理する入力処理制御、及び前記通信インターフェイス６６を介して他の機器との間で情報の通信（例えばファックス、電子メール）を行う情報通信制御等、本実施例の画像表示制御装置１０に関する各種制御を実行する。
【００３０】
前記記憶部６２には、前記タッチパネルディスプレイ１２（表示装置１４）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置１４は、静止画像のみならず動画を表示させるものであってもよく、前記記憶部６２に記憶される画像情報は、静止画に対応するものであるか動画に対応するものであるかは問わない。
【００３１】
前記電気通信回線６４は例えばＬＡＮ、公衆電話回線、又は、ＷＷＷ（World Wide Web、インターネット）等であり、前記通信インターフェイス６６は、例えば画像表示制御装置１０を無線により或いは有線接続にて電気通信回線６４に接続するＬＡＮインターフェイスまたはモデム等である。画像表示制御装置１０は、この通信インターフェイス６６により電気通信回線６４に接続されることで、その電気通信回線６４を介して例えばその電気通信回線６４に接続された他の画像表示装置１０’との間で電子メール等の情報の送受信が可能とされている。また、画像表示制御装置１０は、上記電気通信回線６４等を通じてファックスの送受信が可能とされている。
【００３２】
図８は、画像表示制御装置１０に備えられた制御機能の要部を説明する機能ブロック線図である。図８に示すように、画像表示制御装置１０（詳細にはＣＰＵ７２）は、入出力制御手段９０と、画面傾斜角度検出手段９４と、画面傾斜角度変更手段９６と、人検知判断手段９８と、データ送信手段１００と、復帰条件判断手段１０２と、画面傾斜角度制御手段１０４と、画面傾斜角度登録手段１０６とを備えている。なお、入出力制御手段９０の作動は画面傾斜角度制御方法の入出力制御工程に対応し、画面傾斜角度検出手段９４の作動は上記方法の画面傾斜角度検出工程に対応し、画面傾斜角度変更手段９６の作動は上記方法の画面傾斜角度変更工程に対応し、人検知判断手段９８の作動は上記方法の人検知判断工程に対応し、データ送信手段１００の作動は上記方法のデータ送信工程に対応し、復帰条件判断手段１０２の作動は上記方法の復帰条件判断工程に対応し、画面傾斜角度制御手段１０４の作動は上記方法の画面傾斜角度制御工程に対応し、画面傾斜角度登録手段１０６の作動は上記方法の画面傾斜角度登録工程に対応する。
【００３３】
入出力制御手段９０は、タッチパネルディスプレイ１２（表示装置１４）に所定の画像を表示させる画像表示制御を行うとともに、そのタッチパネルディスプレイ１２（表示面接触検出装置１６）への接触操作に応じて入力される入力信号を処理する入力処理制御を行う。例えば、入出力制御手段９０は、画像表示制御装置１０の機能を選択するための機能選択画像（メニュー画像）を表示装置１４に表示させているときに上記接触操作が検出されると、その画像表示面１８内の接触位置に応じた機能が選択されたとして上記入力処理制御を行う。具体的に一例を挙げれば、入出力制御手段９０は、上記入力処理制御において、表示面接触検出装置１６への接触操作による入力を受け付ける入力モードを選択するための所定の上記接触操作（入力モード選択操作）がなされたか否かを判断する接触操作判断手段として機能する。また、入出力制御手段９０は、所謂手書き入力を受け付ける上記入力モードである手書き入力モードが選択されている場合には、上記接触操作による表示面接触検出装置１６への接触軌跡を表示装置１４に表示させるとともに、その接触軌跡を上記入力信号として処理する。
【００３４】
また、入出力制御手段９０は、前記画像表示制御の１種であるスライドショー表示制御を実行するスライドショー表示制御手段９２を備えている。スライドショー表示制御手段９２の作動は前記画面傾斜角度制御方法のスライドショー表示制御工程に対応する。そのスライドショー表示制御とは、予め記憶された複数の画像を所定の時間間隔でタッチパネルディスプレイ１２（表示装置１４）に順次表示する画像表示制御である。スライドショー表示制御で表示させる上記複数の画像は画像情報として例えば記憶部６２に予め記憶されている。スライドショー表示制御手段９２は、上記スライドショー表示制御を、例えば画面傾斜角度θgが予め設定された表示状態角度θ1である場合に実行する。その表示状態角度θ1は、後述する画面傾斜角度登録手段１０６によって設定登録されるものであって、記憶部６２やＲＡＭ７６等に予め記憶された画像をタッチパネルディスプレイ１２（表示装置１４）に表示するための予め設定された画面傾斜角度θgであり、言い換えれば、上記スライドショー表示制御を実行するための予め設定された画面傾斜角度θgである。例えば、スライドショー表示制御手段９２は、前記スライドショー表示制御を開始させるための所定のスライドショー表示制御開始操作が表示面接触検出装置１６等を介して行われた場合、記憶部６２に予め記憶されている前記スライドショー表示制御での画像の表示順序を定めたスライドショー管理情報に従って複数の画像情報を記憶部６２から所定の順番で順次読み出し、各画像情報に対応する画像を表示装置１４に所定時間表示させると共に、その所定時間が経過した段階で次の表示順の画像情報に対応する画像を表示装置１４に所定時間表示させるというように、予め定められた複数の画像を所定の順番で表示装置１４に１枚ずつ表示させる。なお、好適には、入出力制御手段９０は、スライドショー表示制御手段９２による前記スライドショー表示制御の実行中においてもタッチパネルディスプレイ１２（表示面接触検出装置１６）への接触操作を受け付けるが、そのときには上記スライドショー表示制御による画像が表示装置１４に表示され、そのスライドショー表示制御による画像に替えて上記接触操作を受け付けるための画像が表示されるわけではない。また、好適には、スライドショー表示制御に関して複数の画像が一通り表示され終えた場合には、そのスライドショー表示制御に係る複数の画像をまた先頭から断続的に切替表示させるスライドショー表示制御を繰り返す。
【００３５】
また、利用者が前記スライドショー表示制御の実行中にファックス機能や電子メール機能等を選択するためにそのスライドショー表示制御を一時的に停止（中断）することがあるので、スライドショー表示制御手段９２は、上記スライドショー表示制御を停止するための所定の操作がなされた場合には、実行中の上記スライドショー表示制御を一時的に停止する。例えば、スライドショー表示制御手段９２は、上記スライドショー表示制御の実行中にタッチパネルディスプレイ１２（表示面接触検出装置１６）への接触操作（上記所定の操作に相当）があったか否かを逐次判断しており、その接触操作があった場合には上記スライドショー表示制御を一時的に停止する。また一方で、スライドショー表示制御手段９２は、そのスライドショー表示制御を再開するための所定の操作がなされ或いは所定の条件が成立した場合には、停止していた上記スライドショー表示制御の実行を開始する。例えば、上記スライドショー表示制御を再開するための所定の条件等が成立した場合とは、上記スライドショー表示制御の停止中に画面傾斜角度制御手段１０４が後述する画面傾斜角度復帰制御を実行し完了した場合すなわち画面傾斜角度θgを前記表示状態角度θ1以外の角度から表示状態角度θ1に戻した場合などである。つまり、スライドショー表示制御手段９２を含む入出力制御手段９０は画面傾斜角度制御手段１０４と連動して作動するものであり、スライドショー表示制御手段９２は、上記スライドショー表示制御の停止中に画面傾斜角度制御手段１０４が画面傾斜角度θgを前記表示状態角度θ1に戻した場合には、上記スライドショー表示制御の実行を開始する。なお、その停止していたスライドショー表示制御の実行を開始する際には、そのスライドショー表示制御を表示順序の最初の画像から開始してもよいし、スライドショー表示制御を停止したときの画像から開始してもよい。
【００３６】
画面傾斜角度検出手段９４は、画面傾斜角度検出装置４０（角度センサ５４）からの信号に基づいて画面傾斜角度θgを検出する。また、画面傾斜角度検出手段９４は、画面傾斜角度判断手段として機能し、画面傾斜角度θgに関して予め設定された角度に対してその画面傾斜角度θgが変更されたか否か、及び、画面傾斜角度θgがその予め設定された角度であるか否か等を判断する。例えば、画面傾斜角度検出手段９４は、前記表示状態角度θ1であった画面傾斜角度θgがその表示状態角度θ1から変更されたか否かを判断する。また、画面傾斜角度θgがその表示状態角度θ1であるか否かを判断する。
【００３７】
画面傾斜角度変更手段９６は、画面傾斜角度変更装置３８（電動モータ４２）を駆動して、画像表示面１８の画面傾斜角度θgを変更する。その際、画面傾斜角度検出手段９４によって検出される画面傾斜角度θgを認識しつつその画面傾斜角度θgを変更する。例えば、画面傾斜角度変更手段９６は、画面傾斜角度制御手段１０４等から画面傾斜角度θgを前記表示状態角度θ1にするように指令を受けた場合には、画面傾斜角度検出手段９４によって検出される画面傾斜角度θgが表示状態角度θ1に近付く方向に上記電動モータ４２を回転させ駆動する。そして、画面傾斜角度θgが表示状態角度θ1に一致した場合または表示状態角度θ1を基準（中心値）とする所定の許容範囲内に入った場合には、上記電動モータ４２を停止し画面傾斜角度θgを現位置で固定する。
【００３８】
人検知判断手段９８は、人感センサ５６からの信号に基づいて、画像表示制御装置１０の近傍である人感センサ５６の検知範囲内における人の存在を検知するとともに、人感センサ５６により人が検知されているか否かを判断する。
【００３９】
データ送信手段１００は、画像表示制御装置１０が備えるファックス機能や電子メール機能などの情報通信機能が所定の操作により選択された場合に、その情報通信機能に応じた送信データを電気通信回線６４を通じて送信する。例えば、ファックス機能が選択された場合にはファックスデータとしての上記送信データを電気通信回線６４を通じて予め指定された相手先に送信する。上記送信データの内容は、例えば入出力制御手段９０による前記入力処理制御において入力された入力情報等で構成される。
【００４０】
復帰条件判断手段１０２は、画面傾斜角度θgが表示状態角度θ1であるときに実行される前記画像表示制御たとえば前記スライドショー表示制御が一時的に停止された場合にその停止の解除すなわち実行再開を判断するための所定の復帰条件を予め記憶している。そして、復帰条件判断手段１０２は、上記所定の復帰条件が成立したか否かを判断する。好適には、復帰条件判断手段１０２は、上記画面傾斜角度θgが表示状態角度θ1であるときに実行される前記画像表示制御が一時的に停止された後において、上記所定の復帰条件の判断をする。例えば、上記所定の復帰条件が成立した場合とは、(i)画面傾斜角度θgが表示状態角度θ1であるときに実行される前記画像表示制御を停止させた後になされる操作が一通り完了した場合、一例を挙げれば、前記画像表示制御を停止させた後にファックス等の送信データを送信するときにはその送信が一通り完了した場合すなわちデータ送信手段１００による上記送信データの送信が完了（終了）した場合、(ii)画面傾斜角度θgが表示状態角度θ1であるときに実行される前記画像表示制御を停止させた後の基準となる時から操作待ちをするための所定時間TIME1が経過した場合等の何れかの場合である。上記所定時間TIME1は、例えば上記画像表示制御を一時的に停止させた後の操作がなされることが無くなったということを判断するために実験的に予め定められた操作待ち時間である。
【００４１】
画面傾斜角度制御手段１０４は、所定の操作がなされた場合または所定の条件が成立した場合に、その所定の操作または所定の条件に対応した角度に画面傾斜角度θgを変更する。画面傾斜角度制御手段１０４は、画面傾斜角度θgを変更する際には、画面傾斜角度変更手段９６に画面傾斜角度θgを変更すべき旨の指令出力して、すなわち、画面傾斜角度変更手段９６を作動させて、画面傾斜角度θgを変更する。
【００４２】
例えば、画面傾斜角度制御手段１０４は、前記スライドショー表示制御開始操作が表示面接触検出装置１６等を介して行われた場合には、スライドショー表示制御手段９２が前記スライドショー表示制御を開始するので、画面傾斜角度θgが前記表示状態角度θ1以外の角度であれば、そのスライドショー表示制御の開始に先立って画面傾斜角度θgを前記表示状態角度θ1に変更する。また、画面傾斜角度制御手段１０４は、表示面接触検出装置１６への接触操作による入力を受け付ける前記入力モード（例えば手書き入力モード）を選択するための前記入力モード選択操作がなされた場合には、その入力モード用として予め設定された入力操作用角度θ2に画面傾斜角度θgを変更する入力モード時角度変更制御を実行する。その入力操作用角度θ2は、後述する画面傾斜角度登録手段１０６によって設定登録されるものである。また、画面傾斜角度制御手段１０４は、前記表示状態角度θ1であった画面傾斜角度θgがその表示状態角度θ1から変更されたと画面傾斜角度検出手段９４によって判断された場合において復帰条件判断手段１０２が前記所定の復帰条件が成立したと判断した場合には、画面傾斜角度θgを前記表示状態角度θ1に戻す画面傾斜角度復帰制御を実行する。例えば、その画面傾斜角度復帰制御の実行前の画面傾斜角度θgが前記入力操作用角度θ2であれば、画面傾斜角度制御手段１０４は、その画面傾斜角度復帰制御を実行することにより画面傾斜角度θgを前記入力操作用角度θ2から前記表示状態角度θ1に戻す。また、好適には、画面傾斜角度制御手段１０４は、人感センサ５６により人が検知されていると人検知判断手段９８によって判断されていることを条件に、前記画面傾斜角度復帰制御を実行する。その一方で、画面傾斜角度制御手段１０４は、人感センサ５６により人が検知されていないと人検知判断手段９８によって判断されている場合には、画像表示制御装置１０は未使用状態にあるので、
未使用時の処理（未使用時処理）を行う。その未使用時処理とは、例えば、画面傾斜角度変更装置３８（電動モータ４２）を駆動させて画面傾斜角度θgを原点角度θ0にすることであってもよいし、画面傾斜角度θgを９０度よりも大きい所定の角度にすることであってもよいし、または、画面傾斜角度θgを変化させずに現状維持することすなわち何もしないことであってもよい。
【００４３】
画面傾斜角度登録手段１０６は、画面傾斜角度θgに関して設定される角度、例えば、画面傾斜角度θgの原点θ0（原点角度θ0）、前記表示状態角度θ1、及び、前記入力操作用角度θ2の全部又は何れかの設定登録（登録）を行う。具体的には、その設定登録を開始させるための所定の操作がなされた場合、または、画像表示制御装置１０の電源投入当初などに、図９のフローチャートに従って上記設定登録を行う。
【００４４】
図９は、前記原点θ0、前記表示状態角度θ1、及び、前記入力操作用角度θ2を設定登録する作動、すなわち、画面傾斜角度登録手段１０６の作動を説明するためのフローチャートである。例えば、このフローチャートは、上記設定登録を開始させるための所定の操作がなされた場合、または、画像表示制御装置１０の電源投入当初などに開始される。
【００４５】
図９のステップ（以下、「ステップ」を省略する）ＳＡ１において、画面傾斜角度登録手段１０６は前記原点θ0の設定登録を行うか否かを判断する。例えば、画面傾斜角度登録手段１０６は、原点θ0の設定登録を行うか否かを利用者に問うための画像を、入出力制御手段９０を介して表示装置１４に表示させる。そして、利用者が画像表示面１８内の所定位置にて接触操作を行った場合には、原点θ0の設定登録を行うとの判断を肯定する。このＳＡ１の判断が肯定されるまでＳＡ１は継続する。
【００４６】
続くＳＡ２において、画面傾斜角度登録手段１０６は、前記原点θ0の設定登録を行う。例えば、画面傾斜角度変更手段９６を介して画面傾斜角度変更装置３８を画面傾斜角度θgが小さくなる方向に作動させ、画面傾斜角度θgの調節範囲の下限角度（θg＝０度）に設けられた前記デッドエンドにまで本体部２０を本体支持部２２に対して回動させる。そして、そのデッドエンドによって画面傾斜角度変更装置３８が停止させられた角度すなわち上記下限角度を前記原点θ0として設定登録する。例えば、図１０に示すように、画面傾斜角度θgが零である状態で前記原点θ0の設定登録がなされる。なお、この原点θ0の設定登録がなされることにより、画面傾斜角度検出手段９４は、画面傾斜角度検出装置４０（角度センサ５４）からのパルス信号に基づいて画面傾斜角度θgを検出できるようになる。
【００４７】
続くＳＡ３において、画面傾斜角度登録手段１０６は、前記入力操作用角度θ2（入力位置θ2）の設定登録を行うか否かを判断する。例えば、画面傾斜角度登録手段１０６は、利用者に入力操作用角度θ2としたい角度に画面傾斜角度θgを調節するように指示すると共に利用者に入力操作用角度θ2の設定登録を行うか否かを問うための画像を、入出力制御手段９０を介して表示装置１４に表示させる。そして、利用者が画像表示面１８内の所定位置にて接触操作を行った場合には、入力操作用角度θ2の設定登録を行うとの判断を肯定する。このＳＡ３の判断が肯定されるまでＳＡ３は継続する。なお、利用者は、ＳＡ３における上記接触操作を行う前に、本体部２０を本体支持部２２に対して手動で回動させる等して、タッチパネルディスプレイ１２（表示面接触検出装置１６）への入力操作を行い易い角度すなわち入力操作用角度θ2としたい角度に、画面傾斜角度θgを調節するものとする。例えば、利用者は、画面傾斜角度θgが１０度程度の図１１に示す状態に手動で画面傾斜角度θgを調節してから、ＳＡ３における上記接触操作を行う。
【００４８】
続くＳＡ４において、画面傾斜角度登録手段１０６は、前記入力操作用角度θ2の設定登録を行う。具体的には、前記ＳＡ３の判断が肯定された時の画面傾斜角度θg、すなわち、前記ＳＡ３における前記接触操作がなされた時の画面傾斜角度θgを、上記入力操作用角度θ2として設定登録する。例えば、利用者が、図１１に示す状態に手動で画面傾斜角度θgを調節してから、ＳＡ３における上記接触操作を行えば、その図１１に示す状態での画面傾斜角度θgが入力操作用角度θ2として設定登録される。
【００４９】
続くＳＡ５において、画面傾斜角度登録手段１０６は、前記表示状態角度θ1（表示位置θ1）の設定登録を行うか否かを判断する。例えば、画面傾斜角度登録手段１０６は、利用者に表示状態角度θ1としたい角度に画面傾斜角度θgを調節するように指示すると共に利用者に表示状態角度θ1の設定登録を行うか否かを問うための画像を、入出力制御手段９０を介して表示装置１４に表示させる。そして、利用者が画像表示面１８内の所定位置にて接触操作を行った場合には、表示状態角度θ1の設定登録を行うとの判断を肯定する。このＳＡ５の判断が肯定されるまでＳＡ５は継続する。なお、利用者は、ＳＡ５における上記接触操作を行う前に、本体部２０を本体支持部２２に対して手動で回動させる等して、タッチパネルディスプレイ１２（表示装置１４）に表示される画像を観賞し易い角度すなわち表示状態角度θ1としたい角度に、画面傾斜角度θgを調節するものとする。例えば、利用者は、画面傾斜角度θgが９０度よりは少し小さく且つ前記入力操作用角度θ2よりも大きい図１および図２に示す状態に手動で画面傾斜角度θgを調節してから、ＳＡ５における上記接触操作を行う。
【００５０】
続くＳＡ６において、画面傾斜角度登録手段１０６は、前記表示状態角度θ1の設定登録を行う。具体的には、前記ＳＡ５の判断が肯定された時の画面傾斜角度θg、すなわち、前記ＳＡ５における前記接触操作がなされた時の画面傾斜角度θgを、上記表示状態角度θ1として設定登録する。例えば、利用者が、図１および図２に示す状態に手動で画面傾斜角度θgを調節してから、ＳＡ５における上記接触操作を行えば、その図１および図２に示す状態での画面傾斜角度θgが表示状態角度θ1として設定登録される。
【００５１】
以上、図９に示すようにして、画面傾斜角度登録手段１０６は、前記原点θ0、前記表示状態角度θ1、及び、前記入力操作用角度θ2を設定登録する。
【００５２】
図１２は、画像表示制御装置１０（ＣＰＵ７２）の制御作動の要部、すなわち、前記スライドショー表示制御が一時的に停止されてファックス等のデータ送信が行われる制御作動を説明するためのフローチャートである。この図１２に示す制御作動は、単独で或いは他の制御作動と並列的に実行されるものであり、例えば、前記スライドショー表示制御開始操作が行われた場合等に開始される。なお、図１２のフローチャートが開始される前には既に、画面傾斜角度登録手段１０６による前記原点θ0、前記表示状態角度θ1、及び、前記入力操作用角度θ2の設定登録は完了しているものとし、また、図１２のフローチャートの開始時において画面傾斜角度θgは前記表示状態角度θ1であるものとする。
【００５３】
先ず、入出力制御手段９０或いは入出力制御工程に対応するＳＢ１においては、タッチパネルディスプレイ１２（表示面接触検出装置１６）への接触操作による前記入力モードを選択するための操作（入力モード選択操作）が受け付けられる。後述するＳＢ３で前記スライドショー表示制御が実行されている限り、ＳＢ１の実行中も、基本的にそのスライドショー表示制御による図１３のような画像がタッチパネルディスプレイ１２（表示装置１４）に順次表示されている。但し、図１４に示すように、指２８等によるタッチパネルディスプレイ１２への接触操作があった場合には、上記スライドショー表示制御が停止されるとともに表示装置１４の表示画像が前記入力モード選択操作を受け付けるための図１５のような画像に切り替えられる。そして、前記入力モード選択操作たとえば図１５において「入力モード」と表示されている表示範囲内で指２８を画像表示面１８上に接触させる接触操作がなされると、利用者は前記入力モードを選択したことになる。一方で、利用者は、図１５において「スライドショー」と表示されている表示範囲内で指２８を画像表示面１８上に接触させる接触操作を行うことにより、図１５に示す画像を解除して前記スライドショー表示制御を再開させることができる。ＳＢ１の次はＳＢ２に移る。本フローチャートにおける上記入力モードとは、後述のＳＢ１０で実行されるデータ送信にて送信される入力情報を入力するためのモードである。なお、図１５の表示装置１４に表示される画像には、「入力モード」及び「スライドショー」以外のメニューも表示されており、それぞれのメニューに対応する表示範囲内で指２８を画像表示面１８上に接触させることにより、表示装置１４の表示画像がそのメニューに対応した画像に切り替わり、或いは、画像表示制御装置１０がそのメニューに対応した機能に切り替わる。
【００５４】
入出力制御手段９０或いは入出力制御工程に対応するＳＢ２においては、ＳＢ１にて利用者によって前記入力モードが選択されたか否か、すなわち、前記入力モード選択操作がなされたか否かが判断される。このＳＢ２の判断が肯定された場合、すなわち、利用者によって前記入力モードが選択された場合には、ＳＢ４へ移る。一方、このＳＢ２の判断が否定された場合には、ＳＢ３へ移る。
【００５５】
スライドショー表示制御手段９２或いはスライドショー表示制御工程に対応するＳＢ３においては、前記スライドショー表示制御が実行され、既にそのスライドショー表示制御が実行中であればそれが継続される。ＳＢ３の次はＳＢ１に移る。例えば、図１３に示す画像は上記スライドショー表示制御において表示装置１４に表示される複数の画像のうちの１つであり、上記スライドショー表示制御の実行により図１３のような画像が表示装置１４に順次表示される。
【００５６】
このようにして、ＳＢ２の判断が否定されている間はＳＢ１とＳＢ３とが交互に逐次実行されるので、前記スライドショー表示制御の実行中に図１４に示すようなタッチパネルディスプレイ１２への接触操作がない限り、上記スライドショー表示制御は継続する。また、ＳＢ１〜ＳＢ３の実行中は、本フローチャート開始時の画面傾斜角度θgが維持されているので、画面傾斜角度θgに関して画像表示制御装置１０は図１に例示するような状態であり、その画面傾斜角度θgは前記表示状態角度θ1である。
【００５７】
画面傾斜角度変更手段９６及び画面傾斜角度制御手段１０４に対応し或いは画面傾斜角度変更工程及び画面傾斜角度制御工程に対応するＳＢ４においては、画面傾斜角度変更装置３８（電動モータ４２）が駆動されて、画面傾斜角度θgが前記表示状態角度θ1から前記入力操作用角度θ2に変更される。すなわち、画像表示制御装置１０は、画面傾斜角度θgが前記表示状態角度θ1である図１のような状態から、画面傾斜角度θgが前記入力操作用角度θ2である図１１のような状態に変化させられる。そして、ＳＢ４にて画面傾斜角度θgが表示状態角度θ1から入力操作用角度θ2に変更されると、画面傾斜角度検出手段９４は、画面傾斜角度θgが表示状態角度θ1から変更されたとの判断を肯定する。ＳＢ４の次はＳＢ５に移る。
【００５８】
入出力制御手段９０或いは入出力制御工程に対応するＳＢ５においては、画像表示制御装置１０が前記入力モードに切り替えられる。そして、後述のＳＢ１０で実行されるデータ送信にて送信される入力情報が受け付けられる。例えば、その入力情報はタッチパネルディスプレイ１２（表示面接触検出装置１６）への接触操作により入力される。
【００５９】
ＳＢ５での上記入力情報の入力操作について例示すると、先ず、上記入力情報の１つである背景データ（背景画像）を利用者が選択するための図１６に示すような画像が表示装置１４に表示される。その状態において、利用者が図１６の「背景」と表示されている表示範囲内で指２８を画像表示面１８上に接触させる接触操作を行うことにより、表示装置１４の表示画像が図１６に示す画像から図１７に示す画像に切り替えられる。図１７では、相互に異なる複数種類の背景画像（背景サンプル画像）が各々領域分けされて表示装置１４に表示されている。そして、利用者は、所望の背景画像が表示されている表示範囲内で指２８を画像表示面１８上に接触させる接触操作を行うことにより、その背景画像を前記入力情報として選択することができる。
【００６０】
図１７に示すように、利用者が上記接触操作を行うことにより背景画像が選択されると、表示装置１４の表示画像が図１７に示す画像から図１８に示すような手書き入力を受け付けるための画像に切り替えられるとともに、画像表示制御装置１０が上記手書き入力を受け付ける前記手書き入力モードになる。その手書き入力モードでは、図１８に示すように、タッチパネルディスプレイ１２の手書き入力を受け付ける範囲内には、選択された前記背景画像が表示される。そして、利用者は、上記手書き入力モードにおいて手書き入力をすることができる。図１８では「Ａ」という文字が手書き入力されていることが例示されている。また、図１８では、前記入力操作子としての指２８がスタイラスペン３０に変更されて上記手書き入力がなされているが、指２８で上記手書き入力がなされても差し支えない。なお、図１７に示す正方形で区分された各領域にはそれぞれその領域に応じた背景画像が表示されているのであるが、図１７ではその背景画像の図示が一部省略されている。
【００６１】
入出力制御手段９０或いは入出力制御工程に対応するＳＢ６においては、前記データ送信にて送信される入力情報の入力が終了したか否かが判断される。このＳＢ６の判断が肯定された場合、すなわち、上記入力情報の入力が終了した場合には、ＳＢ７へ移る。一方、このＳＢ６の判断が否定された場合にはＳＢ５が継続する。
【００６２】
例えば、図１８の表示装置１４の表示画像の一部である「保存」と表示されている表示範囲内でスタイラスペン３０または指２８を画像表示面１８上に接触させる接触操作を行うことにより、利用者は前記手書き入力を完了または終了することができる。そして、図１８と同じ表示画像である図１９に示すように、利用者が上記「保存」と表示されている表示範囲内でスタイラスペン３０または指２８を画像表示面１８上に接触させる接触操作を行うと、前記データ送信にて送信される入力情報の入力が終了し、それによりＳＢ６の判断が肯定され、それとともに、前記手書き入力による入力情報と前記選択された背景データ（背景画像）とが、前記データ送信にて送信される入力情報として確定し記憶部６２等に記憶される。
【００６３】
入出力制御手段９０或いは入出力制御工程に対応するＳＢ７においては、前記データ送信を実行するための入力操作が受け付けられる。その入力操作の受付けについて例示すると、先ず、ファックス、電子メール等の前記データ送信の種類を選択するための図２０に示すような画像が表示装置１４に表示される。その状態において、利用者が図２０の「ＦＡＸ」と表示されている表示範囲内で指２８を画像表示面１８上に接触させる接触操作を行うことにより、ファックスとして前記データ送信が実行されることが確定し、表示装置１４の表示画像が図２０に示す画像から図２１に示す画像に切り替えられる。図２１に示す画像は、送信先を入力する等のファックス送信手続を行いそのファックス送信を実行させるための画像である。なお、図２０において、利用者が「メール」と表示されている表示範囲内で指２８を画像表示面１８上に接触させる接触操作を行えば、電子メールとして前記データ送信が実行されることが確定する。
【００６４】
図２０に示す前記接触操作により表示装置１４の表示画像が図２１に示す画像に切り替えられると、利用者は前記ファックス送信手続を行うことができる。そのファックス送信手続では、送信先のファックス番号、又は予め記憶されたファックス番号に対応する送信先名称などが選択され又は入力される。
【００６５】
復帰条件判断手段１０２或いは復帰条件判断工程に対応するＳＢ８においては、前記所定の復帰条件における前記操作待ちをするための所定時間TIME1が経過したか否かが判断される。例えば、前記ＳＢ６の判断が肯定された時を基準としてその時から所定時間TIME1が経過したか否かが判断される。また、前記ＳＢ２の判断が肯定された時を上記基準としてもよい。このＳＢ８の判断が肯定された場合、すなわち、上記所定時間TIME1が経過した場合には、前記所定の復帰条件が成立し、ＳＢ１１へ移る。一方、このＳＢ８の判断が否定された場合には、ＳＢ９へ移る。
【００６６】
入出力制御手段９０或いは入出力制御工程に対応するＳＢ９においては、データ送信を実行させるための操作がなされたか否かが判断される。例えば、図２１において、利用者が表示装置１４の表示画像の一部である「送信」と表示されている表示範囲内でスタイラスペン３０または指２８を画像表示面１８上に接触させる接触操作が、上記データ送信の一種であるファックス送信を実行させるための操作である。上記データ送信の一種である電子メール送信を実行させるための操作も同様である。このＳＢ９の判断が肯定された場合、すなわち、データ送信を実行させるための操作がなされた場合には、ＳＢ１０へ移る。一方、このＳＢ９の判断が否定された場合にはＳＢ７に移りそのＳＢ７が継続する。
【００６７】
データ送信手段１００或いはデータ送信工程に対応するＳＢ１０においては、前記ＳＢ５にて入力された入力情報を内容とする送信データを電気通信回線６４を通じて送信するデータ送信が実行される。例えば、前記ＳＢ７にて図２０に示すようにファックス（ＦＡＸ）が選択されていれば、上記データ送信はファックス送信である。そのデータ送信が開始されると、表示装置１４の表示画像が図２１に示す画像から、上記データ送信の実行中を表示する図２２の画像に切り替えられ、そのデータ送信が終了するまでその図２２の画像が表示装置１４に表示される。そして、上記データ送信が終了した場合には前記所定の復帰条件が成立し、復帰条件判断手段１０２は、その所定の復帰条件が成立したとの判断を肯定する。ＳＢ１０の次はＳＢ１１へ移る。なお、前記ＳＢ７にて電子メールが選択されていれば、ＳＢ１０における上記データ送信は電子メール送信である。また、ＳＢ５の開始からＳＢ８の判断が肯定されるまで或いはＳＢ１０が終了するまでは、画像表示制御装置１０は、画面傾斜角度θgが前記入力操作用角度θ2である図１１のような状態で維持されている。
【００６８】
人検知判断手段９８或いは人検知判断工程に対応するＳＢ１１においては、人が画像表示制御装置１０の近くにいるか否か、すなわち、人感センサ５６により人が検知されているか否かが判断される。このＳＢ１１の判断が肯定された場合、すなわち、人感センサ５６により人が検知されている場合には、ＳＢ１２へ移る。一方、このＳＢ１１の判断が否定された場合にはＳＢ１３に移る。
【００６９】
画面傾斜角度変更手段９６及び画面傾斜角度制御手段１０４に対応し或いは画面傾斜角度変更工程及び画面傾斜角度制御工程に対応するＳＢ１２においては、画面傾斜角度変更装置３８が画面傾斜角度θgを前記表示状態角度θ1に復帰させる復帰部として稼動させられる。具体的には、その画面傾斜角度変更装置３８（電動モータ４２）が駆動されて、画面傾斜角度θgが前記入力操作用角度θ2から前記表示状態角度θ1に変更される。すなわち、画面傾斜角度θgが前記表示状態角度θ1に戻される。ＳＢ１２の次はＳＢ１４に移る。
【００７０】
画面傾斜角度変更手段９６及び画面傾斜角度制御手段１０４に対応し或いは画面傾斜角度変更工程及び画面傾斜角度制御工程に対応するＳＢ１３においては、前記未使用時処理が行われる。ＳＢ１３の次はＳＢ１４に移る。
【００７１】
画面傾斜角度検出手段９４或いは画面傾斜角度検出工程に対応するＳＢ１４においては、画像表示制御装置１０が、画面傾斜角度θgが表示状態角度θ1である初期状態に復帰したか否か、すなわち、画面傾斜角度θgが表示状態角度θ1に戻ったか否かが判断される。このＳＢ１４の判断が肯定された場合、すなわち、画面傾斜角度θgが表示状態角度θ1に戻った場合には、本フローチャートは終了する。一方、このＳＢ１４の判断が否定された場合にはＳＢ１１に移る。
【００７２】
上記ＳＢ１４の判断が肯定されて本フローチャートが終了すると、再び本フローチャートはＳＢ１から開始されるので、ＳＢ１、ＳＢ２、及びＳＢ３で構成されるループが実行され、前記スライドショー表示制御の実行が開始される。そのときの画像表示制御装置１０は、画面傾斜角度θgが前記表示状態角度θ1である図１のような状態に戻っている。
【００７３】
本実施例によれば、画面傾斜角度制御手段１０４は、前記表示状態角度θ1であった画面傾斜角度θgがその表示状態角度θ1から変更されたと画面傾斜角度検出手段９４によって判断された場合において復帰条件判断手段１０２が前記所定の復帰条件が成立したと判断した場合には、画面傾斜角度θgを前記表示状態角度θ1に戻す前記画面傾斜角度復帰制御を実行する。従って、利用者が上記画面傾斜角度θgを上記表示状態角度θ1に戻す必要がなく、その画面傾斜角度θgを調節する利用者の手間を省くことが可能である。
【００７４】
また、本実施例によれば、（ａ）データ送信手段１００は送信データを電気通信回線６４を通じて送信するものであり、（ｂ）復帰条件判断手段１０２によって判断される前記所定の復帰条件が成立した場合とは、例えば、データ送信手段１００による上記送信データの送信が完了した場合であるので、上記送信データの送信完了後において、利用者が画面傾斜角度θgを表示状態角度θ1に戻す手間を省くことが可能である。特に、上記送信データの送信開始から完了までに、ある程度の時間を要する場合には、利用者がその送信の完了まで待った上で上記画面傾斜角度θgを表示状態角度θ1に戻すという手間が必要ないという利点がある。
【００７５】
また、本実施例によれば、好適には、画面傾斜角度制御手段１０４は、人感センサ５６により人が検知されていると人検知判断手段９８によって判断されていることを条件に、前記画面傾斜角度復帰制御を実行するので、そのようにしたとすれば、画面傾斜角度θgを表示状態角度θ1に戻す動作が必要ではなく無駄になる場合において、この動作を省くことができる。
【００７６】
また、本実施例によれば、スライドショー表示制御手段９２は、画面傾斜角度θgが表示状態角度θ1である場合において、予め記憶された複数の画像を所定の時間間隔でタッチパネルディスプレイ１２（表示装置１４）に順次表示する前記スライドショー表示制御を実行する。そして、スライドショー表示制御手段９２は、上記スライドショー表示制御の停止中に画面傾斜角度制御手段１０４が画面傾斜角度θgを前記表示状態角度θ1に戻した場合には、上記スライドショー表示制御の実行を開始する。従って、例えば利用者がタッチパネルディスプレイ１２に対して入力操作を行うために前記スライドショー表示制御を一時的に中断（停止）させた場合などにおいて、利用者が上記スライドショー表示制御の実行を再開する手間を省くことが可能である。
【００７７】
また、本実施例における前記画面傾斜角度制御方法によれば、画面傾斜角度制御手段１０４の作動に対応する前記画面傾斜角度制御工程は、前記画面傾斜角度θgが前記表示状態角度θ1から変更された場合において所定の復帰条件が成立した場合には、前記画面傾斜角度変更工程を実行して画面傾斜角度θgを表示状態角度θ1に戻すものであるので、利用者が上記画面傾斜角度θgを上記表示状態角度θ1に戻す必要がなく、その画面傾斜角度θgを調節する利用者の手間を省くことが可能である。
【００７８】
以上、本発明の好適な実施例を図面に基づいて詳細に説明したが、本発明はこれに限定されるものではなく、さらに別の態様においても実施される。
【００７９】
たとえば、前述の実施例の図１２のフローチャートにおいて、ＳＢ１１とＳＢ１３とが設けられているが、これらのステップは必須ではなく、上記ＳＢ１１とＳＢ１３とを備えていないフローチャートも考え得る。上記ＳＢ１１とＳＢ１３とを備えていない場合には、人感センサ５６は不要である。
【００８０】
前述の実施例において、図１２のフローチャートの各ステップにおける表示画像として図１３〜図２２を示して説明しているが、それら図１３〜図２２の画像はあくまで例示であって、各ステップにおける画面表示が図１３〜図２２で説明したものと異なっていても差し支えない。
【００８１】
前述の実施例の図１２のフローチャートにおいて、ＳＢ１では、図１４に示すように、指２８等によるタッチパネルディスプレイ１２への接触操作があった場合に、上記スライドショー表示制御が停止されるとともに表示装置１４の表示画像が図１５のような画像に切り替えられるが、例えば、上記スライドショー表示制御の実行中に利用者が手動で本体部２０を押すなどして画面傾斜角度θgを入力操作用角度θ2に近づけた場合にも、上記スライドショー表示制御が停止されるとともに表示装置１４の表示画像が図１５のような画像に切り替えられるとしても差し支えない。
【００８２】
また、前述の実施例においては、タッチパネルディスプレイ１２に対する入力操作子として利用者の指２８またはスタイラスペン３０が示されているが、その他の入力操作子が用いられても差し支えない。また、図１４等では入力操作子として指２８が用いられている一方で、図１８等では入力操作子としてスタイラスペン３０が用いられているが、これは単に２種類の入力操作子を例示しているだけであって、上記図１４等で示す場面または図１８等で示す場面で指２８とスタイラスペン３０とが使い分けられる必要はない。
【００８３】
また、前述の実施例において、入力操作用角度θ2は１つであるが、複数の相互に異なる入力操作用角度θ2が設定登録されても差し支えない。例えば、前記入力操作子として指２８を用いるのに適した第１の入力操作用角度と、前記入力操作子としてスタイラスペン３０を用いるのに適した第２の入力操作用角度とがそれぞれ設定登録されており、利用者は、タッチパネルディスプレイ１２への入力操作（接触操作）の際に、上記第１の入力操作用角度または第２の入力操作用角度を選択して、その選択された角度になるように画面傾斜角度θgが変更されるようにしてもよい。
【００８４】
また、前述の実施例において、表示状態角度θ1は図２に示すような画面傾斜角度θgに設定登録されており、入力操作用角度θ2は図１１に示すような画面傾斜角度θgに設定登録されているが、表示状態角度θ1も入力操作用角度θ2も画面傾斜角度θgの調節範囲内で任意に設定登録されてよい。例えば、表示状態角度θ1と入力操作用角度θ2との何れが大きくても差し支えないし、入力操作用角度θ2が原点角度θ0と等しくても差し支えない。
【００８５】
また、前述の実施例において、画面傾斜角度θgの調節範囲の下限角度（θg＝０度）が原点角度θ0として設定登録されるが、上記調節範囲内の任意の角度を原点角度θ0として設定登録しても差し支えない。また、上記調節範囲の下限角度が０度である必要はない。
【００８６】
また、前述の実施例において、画面傾斜角度変更装置３８は、駆動力源として電動モータ４２を備えているが、その駆動力源はエアーシリンダであってもよいし、本体部２０を本体支持部２２に対して一方向に付勢するバネ等の弾性部材に画面傾斜角度θgの保持をするラチェット機構等を付加したものであってもよい。
【００８７】
また、前述の実施例において、スライドショー表示制御手段９２は、前記スライドショー表示制御開始操作が行われた場合に前記スライドショー表示制御を開始すると説明されているが、そのスライドショー表示制御を開始する条件は種々考えられ、例えば、画像表示制御装置１０の電源が投入されれば自動的に上記スライドショー表示制御が開始されても差し支えない。そのときには、例えば画面傾斜角度制御手段１０４が画面傾斜角度θgを前記表示状態角度θ1に変更する。
【００８８】
また、前述の実施例において、前記スライドショー表示制御は、画面傾斜角度θgが表示状態角度θ1であるときに実行されるが、画面傾斜角度θgが表示状態角度θ1以外の角度であるときに実行されることがあっても差し支えない。
【００８９】
また、前述の実施例において、画像表示制御装置１０では前記スライドショー表示制御が実行されるが、そのスライドショー表示制御が実行されずに１つの画像が表示されるものであっても差し支えない。また、表示装置１４には、動画像が表示されても静止画像が表示されても差し支えない。
【００９０】
また、前述の実施例のタッチパネルディスプレイ１２においては、指２８等の画像表示面１８への接触が検出されるが、その接触の検出方式によっては、指２８等が画像表示面１８へ接触する間際まで接近した場合に、指２８等が画像表示面１８へ接触したものと認識されるものもあるので、そのような場合には、上記の指２８等が画像表示面１８へ接触する間際までの接近が、上記指２８等の画像表示面１８への接触に含まれるものとする。
【符号の説明】
【００９１】
１０：画像表示制御装置
１２：タッチパネルディスプレイ
１８：画像表示面
２８：指（入力操作子）
３０：スタイラスペン（入力操作子）
５６：人感センサ
６４：電気通信回線
９２：スライドショー表示制御手段
９４：画面傾斜角度検出手段
９６：画面傾斜角度変更手段
１００：データ送信手段
１０４：画面傾斜角度制御手段
θg：画面傾斜角度
【図１】
2011159092.tif 000003
【図２】
2011159092.tif 000004
【図３】
2011159092.tif 000005
【図４】
2011159092.tif 000006
【図５】
2011159092.tif 000007
【図６】
2011159092.tif 000008
【図７】
2011159092.tif 000009
【図８】
2011159092.tif 000010
【図９】
2011159092.tif 000011
【図１０】
2011159092.tif 000012
【図１１】
2011159092.tif 000013
【図１２】
2011159092.tif 000014
【図１３】
2011159092.tif 000015
【図１４】
2011159092.tif 000016
【図１５】
2011159092.tif 000017
【図１６】
2011159092.tif 000018
【図１７】
2011159092.tif 000019
【図１８】
2011159092.tif 000020
【図１９】
2011159092.tif 000021
【図２０】
2011159092.tif 000022
【図２１】
2011159092.tif 000023
【図２２】
2011159092.tif 000024